(57)【要約】【課題】簡単な駆動回路によって領域毎に応答タイミングを異ならせることができる電荷蓄積型デバイスを提供する。【解決手段】電荷蓄積型デバイス１は、各々が、透光性を有する第１電極２１及び第２電極２２を有し、第１電極２１及び第２電極２２間に蓄積される電荷に応じて光学特性が変化する複数のアクティブエリア部２０と、各々が、複数のアクティブエリア部２０のうち２つのアクティブエリア部２０を電気的に接続する１以上の接続部３０と、複数のアクティブエリア部２０のうち一のアクティブエリア部２０の抵抗値Ｒ２は、１以上の接続部３０のうち当該一のアクティブエリア部２０に接続される接続部３０の抵抗値Ｒ１より小さい。【選択図】図５
2016138987.tif 000002
【特許請求の範囲】
【請求項１】
各々が、透光性を有する第１電極及び第２電極を有し、前記第１電極及び前記第２電極間に蓄積される電荷に応じて光学特性が変化する複数のアクティブエリア部と、
各々が、前記複数のアクティブエリア部のうち２つのアクティブエリア部を電気的に接続する１以上の接続部と、
前記複数のアクティブエリア部のうち一のアクティブエリア部の抵抗値は、前記１以上の接続部のうち当該一のアクティブエリア部に接続される接続部の抵抗値より小さい
電荷蓄積型デバイス。
【請求項２】
前記１以上の接続部の各々は、
第１方向に長尺の軸部と、
前記第１方向に交差する第２方向に沿って前記軸部から延設されて、前記第１電極と前記軸部とを電気的に接続する枝部とを備え、
前記１以上の接続部の各々の前記軸部は、前記第１方向に沿って並ぶように互いに接続されている
請求項１に記載の電荷蓄積型デバイス。
【請求項３】
前記複数のアクティブエリア部は、前記第１方向に沿って並んで配置され、
前記複数のアクティブエリア部の各々の第１電極の平面視形状及び大きさは、前記第１方向が短手方向になる略矩形である
請求項２に記載の電荷蓄積型デバイス。
【請求項４】
前記枝部の前記第１方向の長さは、当該枝部が接続される第１電極の前記第１方向の長さより短い
請求項３に記載の電荷蓄積型デバイス。
【請求項５】
前記軸部の短手方向の長さは、当該軸部から延設された前記枝部が接続される第１電極の短手方向の長さより短い
請求項３又は４に記載の電荷蓄積型デバイス。
【請求項６】
前記電荷蓄積型デバイスは、さらに、
前記１以上の接続部のうち、前記第１方向における端の接続部に接続された、直流電力を受電する受電部を備える
請求項２〜５のいずれか１項に記載の電荷蓄積型デバイス。
【請求項７】
前記軸部及び前記枝部は、レーザ加工によって形成される
請求項２〜６のいずれか１項に記載の電荷蓄積型デバイス。
【請求項８】
前記複数のアクティブエリア部の各々の第１電極の平面視形状は、互いに略同じである
請求項１〜７のいずれか１項に記載の電荷蓄積型デバイス。
【請求項９】
前記電荷蓄積型デバイスは、さらに、前記第１電極に積層された補助電極を備える
請求項１〜８のいずれか１項に記載の電荷蓄積型デバイス。
【請求項１０】
前記電荷蓄積型デバイスは、さらに、
前記複数のアクティブエリア部を間に挟むように対向して設けられた第１基板及び第２基板と、
前記複数のアクティブエリア部を囲むように前記第１基板と前記第２基板とを接続することで、前記複数のアクティブエリア部を封止する封止材とを備え、
前記１以上の接続部は、前記封止材の外側に設けられている
請求項１〜９のいずれか１項に記載の電荷蓄積型デバイス。
【請求項１１】
前記複数のアクティブエリア部の各々は、前記第１電極と前記第２電極との間に電解質を備えるエレクトロクロミック素子である
請求項１〜１０のいずれか１項に記載の電荷蓄積型デバイス。
【発明の詳細な説明】
【技術分野】
【０００１】
本発明は、電荷蓄積型デバイスに関する。
【背景技術】
【０００２】
従来、電圧を印加することで光学特性を変化させることができるデバイスの開発が進められている。例えば、特許文献１には、複数のセグメントを備えた第１の電極層と、第１の電極層の上の機能層と、機能層の上の第２の電極層とを備えるオプトエレクトロニクス素子が開示されている。当該オプトエレクトロニクス素子は、第１の電極層と第２の電極層との間に印加された電圧に応じて、機能層が発光する。
【先行技術文献】
【特許文献】
【０００３】
【特許文献１】特表２０１１−５１３９２５号公報
【発明の概要】
【発明が解決しようとする課題】
【０００４】
しかしながら、従来のデバイスでは、領域毎に応答タイミングを異ならせることが難しいという課題がある。例えば、上記従来のオプトエレクトロニクス素子では、複数のセグメントを個別に動作させるためには、電極層間に異なるタイミングで電圧を印加するための複雑な駆動回路が必要になる。
【０００５】
そこで、本発明は、簡単な駆動回路によって領域毎に応答タイミングを異ならせることができる電荷蓄積型デバイスを提供することを目的とする。
【課題を解決するための手段】
【０００６】
上記目的を達成するため、本発明の一態様に係る電荷蓄積型デバイスは、各々が、透光性を有する第１電極及び第２電極を有し、前記第１電極及び前記第２電極間に蓄積される電荷に応じて光学特性が変化する複数のアクティブエリア部と、各々が、前記複数のアクティブエリア部のうち２つのアクティブエリア部を電気的に接続する１以上の接続部と、前記複数のアクティブエリア部のうち一のアクティブエリア部の抵抗値は、前記１以上の接続部のうち当該一のアクティブエリア部に接続される接続部の抵抗値より小さい。
【発明の効果】
【０００７】
本発明によれば、簡単な駆動回路によって領域毎に応答タイミングを異ならせることができる。
【図面の簡単な説明】
【０００８】
【図１】本発明の実施の形態に係る電荷蓄積型デバイスの概略平面図である。
【図２】本発明の実施の形態に係る電荷蓄積型デバイスの概略断面図である。
【図３】本発明の実施の形態に係る電荷蓄積型デバイスの概略断面図である。
【図４】本発明の実施の形態に係る電荷蓄積型デバイスの接続部及び第１電極の一部を示す概略平面図である。
【図５】本発明の実施の形態に係る電荷蓄積型デバイスの等価回路を示す電気回路図である。
【図６】本発明の実施の形態に係る電荷蓄積型デバイスの接続部の形成方法を示す図である。
【図７】本発明の実施の形態に係る電荷蓄積型デバイスを調光状態にするときの動作を示す図である。
【図８】本発明の実施の形態に係る電荷蓄積型デバイスを調光状態にするときの動作を示す電気回路図である。
【図９】本発明の実施の形態に係る電荷蓄積型デバイスを透過状態にするときの動作を示す図である。
【図１０】本発明の実施の形態に係る電荷蓄積型デバイスを透過状態にするときの動作を示す電気回路図である。
【図１１】本発明の実施の形態の変形例１に係る電荷蓄積型デバイスの第１電極の一部を示す概略平面図である。
【図１２】本発明の実施の形態の変形例２に係る電荷蓄積型デバイスの概略平面図である。
【図１３】本発明の実施の形態の変形例２に係る電荷蓄積型デバイスを調光状態にするときの動作を示す図である。
【発明を実施するための形態】
【０００９】
以下では、本発明の実施の形態に係る電荷蓄積型デバイスについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
（実施の形態）
［電荷蓄積型デバイスの概要］
まず、本実施の形態に係る電荷蓄積型デバイスについて、図１〜図３を用いて説明する。
【００１２】
図１は、本実施の形態に係る電荷蓄積型デバイス１の概略平面図である。図２は、本実施の形態に係る電荷蓄積型デバイス１の概略断面図であり、具体的には、図１のＩＩ−ＩＩ線における断面を示している。図３は、本実施の形態に係る電荷蓄積型デバイス１の概略断面図であり、具体的には、図１のＩＩＩ−ＩＩＩ線における断面を示している。
【００１３】
図１〜図３に示すように、本実施の形態に係る電荷蓄積型デバイス１は、扁平な略直方体である。図１に示すように、電荷蓄積型デバイス１の平面視形状は、略矩形である。なお、平面視とは、電荷蓄積型デバイス１の主面（具体的には、面積が最大の面）に直交する方向、すなわち、電荷蓄積型デバイス１の厚み方向（Ｚ軸方向）に見た場合を意味する。
【００１４】
なお、図１〜図３に示すように、電荷蓄積型デバイス１の主面の一辺に沿った方向をＸ軸方向、当該一辺に直交する他辺に沿った方向をＹ軸方向、当該主面に直交する方向をＺ軸方向とする。
【００１５】
電荷蓄積型デバイス１は、直流電力が供給された場合に、領域毎に光学特性を変化させる。本実施の形態では、電荷蓄積型デバイス１は、光透過状態（光透過モード）と、調光状態（調光モード）とを領域毎に実現する。
【００１６】
光透過状態（光透過モード）は、電荷蓄積型デバイス１に入射する光（例えば、可視光）を透過させる状態（モード）である。このときの光の透過率は、例えば充分に高く、電荷蓄積型デバイス１は、透明状態を実現する。なお、電荷蓄積型デバイス１は、光透過状態の場合であっても、光反射性及び光散乱性を有してもよい。すなわち、光透過状態とは、光の反射及び散乱に比べて、光の透過が支配的な状態である。
【００１７】
調光状態（調光モード）は、電荷蓄積型デバイス１に入射する光（例えば、可視光）を、散乱、反射、又は、波長変換（具体的には、変色）させる状態（モード）である。本実施の形態では、電荷蓄積型デバイス１は、調光状態の場合に、入射する光の色を変更する。例えば、電荷蓄積型デバイス１は、調光状態の場合、着色されたように見える。
【００１８】
なお、本実施の形態に係る電荷蓄積型デバイス１は、例えば、建造物又は車両などの窓に利用することができる。具体的には、電荷蓄積型デバイス１は、複層ガラスの内部空間に封止される。このとき、複層ガラスには、電荷蓄積型デバイス１だけでなく、有機ＥＬ素子などの発光素子を封止してもよい。これにより、複層ガラスは、例えば、照明、鏡、情報表示などの用途に利用可能な、いわゆるスマートウィンドウとして利用することができる。
【００１９】
電荷蓄積型デバイス１は、図１〜図３に示すように、第１基板１０と、第２基板１１と、複数のアクティブエリア部２０と、１以上の接続部３０と、第１受電部４０と、第２受電部５０と、封止材６０とを備える。
【００２０】
以下では、電荷蓄積型デバイス１の各構成要素について、図１〜図３を用いて詳細に説明する。
【００２１】
［基板］
第１基板１０及び第２基板１１は、透光性を有し、可視光の少なくとも一部を透過させる。具体的には、第１基板１０及び第２基板１１は、透明（光透過率が充分に高い）な平板である。
【００２２】
第１基板１０及び第２基板１１は、図１〜図３に示すように、複数のアクティブエリア部２０を間に挟むように対向して設けられている。具体的には、第１基板１０及び第２基板１１は、互いの距離が略一定になるように、すなわち、平行に配置されている。
【００２３】
第１基板１０及び第２基板１１は、略同じ形状及び略同じ大きさを有する。具体的には、第１基板１０及び第２基板１１の平面視形状は、略矩形である。あるいは、第１基板１０及び第２基板１１の平面視形状は、正方形などのその他多角形、又は、円形若しくは楕円形などいかなる形状でもよい。第１基板１０及び第２基板１１の各々の厚さは、例えば、１ｍｍである。なお、第１基板１０及び第２基板１１は、互いに異なる形状及び異なる大きさを有してもよい。
【００２４】
図１及び図２に示すように、第１基板１０の端部には、接続部３０と、第１受電部４０とが設けられている。なお、第１基板１０の端部は、第１基板１０のうち、封止材６０に囲まれていない外側の部分である。第２基板１１の端部には、第２受電部５０が設けられている。第２基板１１の端部は、第２基板１１のうち、封止材６０に囲まれていない外側の部分である。
【００２５】
本実施の形態では、図２に示すように、第１基板１０及び第２基板１１は、Ｘ軸方向にずれて配置されている。具体的には、第１基板１０及び第２基板１１は、平面視において、第１基板１０の端部が第２基板１１に重複しないように、かつ、第２基板１１の端部が第１基板１０に重複しないように、配置されている。
【００２６】
第１基板１０及び第２基板１１は、例えば、同じ材料から形成される。第１基板１０及び第２基板１１としては、例えば、ソーダガラス、無アルカリガラス、高屈折率ガラスなどのガラス基板、又は、ポリイミド（ＰＩ）、ポリエチレンテレフタレート（ＰＥＴ）、ポリエチレンナフタレート（ＰＥＮ）などの樹脂基板を利用することができる。ガラス基板は、透明性及び防湿性に優れているという利点がある。樹脂基板は、破壊時の飛散が少ないという利点がある。また、第１基板１０及び第２基板１１としては、可撓性を有するフレキシブル基板を用いてもよい。フレキシブル基板は、例えば、樹脂基板又は薄膜ガラスなどから形成される。なお、第１基板１０及び第２基板１１は、互いに異なる材料から形成されてもよい。
【００２７】
［アクティブエリア部］
複数のアクティブエリア部２０の各々は、図２及び図３に示すように、第１電極２１と、第２電極２２と、機能層２３とを有する。複数のアクティブエリア部２０の各々は、第１電極２１及び第２電極２２間に蓄積される電荷に応じて光学特性が変化する。本実施の形態では、複数のアクティブエリア部２０の各々は、第１電極２１と第２電極２２との間に電解質を備えるエレクトロクロミック素子である。なお、電解質は、機能層２３に含まれる。
【００２８】
複数のアクティブエリア部２０は、平面視において互いに重複しないように配置されている。本実施の形態では、複数のアクティブエリア部２０は、第１方向に沿って並んで配置されている。具体的には、図１に示すように、複数のアクティブエリア部２０は、Ｙ軸方向に沿って並んで配置されている。なお、アクティブエリア部２０は、第１電極２１と第２電極２２とが平面視において重複している部分である。本実施の形態では、アクティブエリア部２０の平面視形状は、第１電極２１の平面視形状に相当する。
【００２９】
本実施の形態では、複数のアクティブエリア部２０のうち一のアクティブエリア部２０の抵抗値は、１以上の接続部３０のうち当該一のアクティブエリア部２０に接続される接続部３０の抵抗値より小さい。具体的には、複数のアクティブエリア部２０の各々は、１以上の接続部３０のうち当該アクティブエリア部２０に接続される接続部３０の抵抗値より小さい抵抗値を有する。なお、詳細については、図５を用いて後で説明する。
【００３０】
第１電極２１及び第２電極２２は、透光性を有し、可視光の少なくとも一部を透過させる。具体的には、第１電極２１及び第２電極２２は、透明な平板状の導電膜である。第１電極２１及び第２電極２２間に所定の電圧が印加された場合に、機能層２３の光学特性が変化する。
【００３１】
第１電極２１及び第２電極２２は、図２及び図３に示すように、互いに対向して配置されている。具体的には、第１電極２１は、第１基板１０上に形成され、第２電極２２は、第２基板１１上に形成されている。例えば、第１電極２１及び第２電極２２はそれぞれ、スパッタリング法、蒸着法などによって第１基板１０上及び第２基板１１上に導電膜を形成し、形成した導電膜をパターニングすることで形成される。このとき、第１電極２１及び第２電極２２はそれぞれ、透光性を有するアンダーコート層を介して、第１基板１０上及び第２基板１１上に形成されてもよい。
【００３２】
第１電極２１及び第２電極２２は、例えば、同じ材料から形成される。第１電極２１及び第２電極２２としては、例えば、酸化インジウムスズ（ＩＴＯ）、酸化インジウム亜鉛（ＩＺＯ）、アルミニウムドープ酸化亜鉛（ＡＺＯ）、フッ素ドープ酸化スズ（ＦＴＯ）などの透明金属酸化物を用いることができる。
【００３３】
図２に示すように、第１電極２１は、封止材６０の外側まで延伸されて接続部３０に電気的及び物理的に接続されている。第１電極２１と接続部３０とは、例えば、同じ材料で一体に形成されている。より具体的には、第１電極２１と接続部３０と第１受電部４０とは、第１基板１０上に形成された導電膜をパターニングすることで形成される。
【００３４】
本実施の形態では、第１電極２１の平面視形状は、図１に示すように、第１方向が短手方向になる略矩形である。なお、第１方向は、複数のアクティブエリア部２０が並ぶ方向である。具体的には、第１電極２１の短手方向（すなわち、第１方向）は、Ｙ軸方向であり、長手方向は、Ｘ軸方向である。複数の第１電極２１の平面視形状及び大きさは、互いに略同じである。
【００３５】
図３に示すように、隣り合う第１電極２１間には、隙間（溝）が形成されている。これにより、複数の第１電極２１同士は物理的に分離されている。具体的には、複数の第１電極２１同士は、１以上の接続部３０のみを介して物理的及び電気的に接続されている。
【００３６】
なお、当該隙間の幅が短い場合、複数の第１電極２１は連続しているように見えるので、デバイスの美観を向上させることができる。例えば、当該隙間の幅は、３０μｍである。
【００３７】
また、図２に示すように、第２電極２２は、封止材６０の外側まで延伸されて第２受電部５０に電気的及び物理的に接続されている。第２電極２２と第２受電部５０とは、同じ材料で一体に形成されている。
【００３８】
本実施の形態では、複数の第２電極２２は、一体に形成されている。すなわち、複数の第２電極２２の各々は、例えば、第２基板１１上に、第２基板１１と略同じ形状及び略同じ大きさで形成された導電膜の一部である。
【００３９】
第１電極２１及び第２電極２２はそれぞれ、第１基板１０及び第２基板１１との可視光帯域における屈折率の差が所定の値より小さい材料から形成される。例えば、第１電極２１と第１基板１０との屈折率の差は、０．２以下であり、好ましくは、０．１以下である。これにより、第１電極２１と第１基板１０との界面での光の反射及び屈折を抑制し、光を効果的に透過させることができる。第２電極２２と第２基板１１とについても、同様である。また、第１電極２１及び第２電極２２は、互いに異なる材料から形成されてもよく、この場合、第１電極２１及び第２電極２２の屈折率の差も、所定の値より小さい材料を用いることが好ましい。第１電極２１及び第２電極２２の各々の厚さは、例えば、２００ｎｍである。
【００４０】
なお、第１電極２１及び第２電極２２の少なくとも一方は、表面に凹凸構造を有してもよい。これにより、光を散乱、又は、配光させることができる。
【００４１】
機能層２３は、アクティブエリア部２０の光学特性を変化させる層である。機能層２３は、電解質を含んでいる。本実施の形態では、機能層２３は、第１電極２１と第２電極２２との間に積層されたエレクトロクロミック層、電解質層（イオン伝導層）及び対向電極層を備える。
【００４２】
エレクトロクロミック層は、具体的には、第１電極２１及び第２電極２２の一方を覆うように設けられている。エレクトロクロミック層は、イオンを吸蔵又は放出した場合に光学特性が変化するエレクトロクロミック材料から形成される。エレクトロクロミック材料は、例えば、酸化タングステン（ＷＯ３）、酸化モリブデン（ＭｏＯ３）などの金属酸化物、又は、これらの混合物などである。なお、金属酸化物には、リチウム、ナトリウムなどの金属又は金属化合物がドーパントとしてドーピングされていてもよい。例えば、酸化タングステンは、水素イオン又はリチウムイオンなどを吸蔵した場合に、着色されて、水素イオン又はリチウムイオンなどを放出した場合に、透明になる。
【００４３】
電解質層は、エレクトロクロミック層と対向電極層との間に設けられ、エレクトロクロミック層と対向電極層との間でイオンを移動させることができる層である。電解質層は、例えば、ケイ酸塩、酸化シリコン、酸化タングステン、酸化タンタル、酸化ニオブなどから形成される。
【００４４】
対向電極層は、エレクトロクロミック層の光学特性を変化させるためのイオンを貯蔵するための層である。対向電極層としては、例えば、酸化ニッケル、酸化タングステンなどの金属酸化物を用いることができる。
【００４５】
なお、機能層２３の厚さは、例えば、１μｍ以上１ｍｍ以下、好ましくは、１０μｍ以上５００μｍ以下である。これにより、透過率の低下の抑制、及び、材料コストの削減を実現することができる。
【００４６】
［接続部］
１以上の接続部３０は、各々が、複数のアクティブエリア部２０のうち２つのアクティブエリア部を電気的に接続する。例えば、電荷蓄積型デバイス１は、Ｎ個のアクティブエリア部２０を備える場合、Ｎ−１個の接続部３０を備える。なお、Ｎは、２以上の自然数である。
【００４７】
図４は、本実施の形態に係る電荷蓄積型デバイス１の接続部３０及び第１電極２１の一部を示す概略平面図である。なお、図４では、封止材６０の一部の平面視形状を破線で示している。
【００４８】
本実施の形態では、図４に示すように、１以上の接続部３０は、封止材６０の外側に設けられている。また、１以上の接続部３０は、第１基板１０上に形成されている。具体的には、１以上の接続部３０は、複数の第１電極２１及び第１受電部４０と同じ材料で一体に形成されている。
【００４９】
なお、１以上の接続部３０は、第１受電部４０に電気的に接続されている。１以上の接続部３０は、第１受電部４０に供給された電力を複数のアクティブエリア部２０に所定の順序で供給する。具体的には、１以上の接続部３０は、第１受電部４０までの１以上の接続部３０を介した経路が短い順で、複数のアクティブエリア部２０に電力を供給する。
【００５０】
図４に示すように、１以上の接続部３０の各々は、軸部３１と、枝部３２とを備える。
【００５１】
軸部３１は、複数の第１電極２１が並ぶ方向（すなわち、第１方向）に長尺である。具体的には、軸部３１の平面視形状は、図４に示すように、Ｙ軸方向に長尺の長方形である。より具体的には、軸部３１の長手方向（Ｙ軸方向）の長さＬ１は、短手方向（Ｘ軸方向）の長さＷ１より長い。
【００５２】
本実施の形態では、１以上の接続部３０の各々の軸部３１の平面視形状及び大きさは、互いに略同じである。また、１以上の接続部３０の各々の軸部３１は、第１方向に沿って並ぶように互いに接続されている。つまり、１以上の軸部３１は、第１方向に延びる１本の直線上に形成されている。
【００５３】
軸部３１の短手方向の長さＷ１は、その軸部３１から延設された枝部３２が接続された第１電極２１の短手方向の長さＷ３より短い。つまり、軸部３１が第１電極２１に比べて細く形成されているので、軸部３１の抵抗値が第１電極２１の抵抗値より大きくなる。
【００５４】
枝部３２は、第１方向に交差する第２方向に沿って軸部３１から延設されて、第１電極２１と軸部３１とを電気的に接続する。本実施の形態では、第２方向は、第１方向に直交する方向であり、具体的には、Ｘ軸方向である。
【００５５】
本実施の形態では、１以上の接続部３０の各々の枝部３２の平面視形状及び大きさは、互いに略同じである。枝部３２の平面視形状は、例えば、第１方向及び第２方向をそれぞれ一辺とする略矩形である。
【００５６】
枝部３２の第１方向の長さＷ２は、その枝部３２が接続される第１電極２１の第１方向の長さＷ３より短い。これにより、図４に示すように、一の枝部３２と、当該一の枝部３２に隣り合う別の枝部３２との間には、導電膜の除去領域７０が設けられている。除去領域７０は、例えば、第１方向及び第２方向をそれぞれ一辺とする略矩形の領域である。
【００５７】
以上のように、本実施の形態では、接続部３０の軸部３１とアクティブエリア部２０とは、アクティブエリア部２０より細い枝部３２によって物理的及び電気的に接続されている。つまり、接続部３０とアクティブエリア部２０との平面視形状は、枝部３２が細くなった、いわゆる「くびれ状」である。
【００５８】
また、第１方向（Ｙ軸方向）に並んだ複数のアクティブエリア部２０が、直線上に並んだ１以上の接続部３０によって接続されている。簡単に言い換えると、複数のアクティブエリア部２０が、１以上の接続部３０によって、櫛状に接続されている。
【００５９】
なお、本実施の形態では、複数のアクティブエリア部２０の全てが、長尺方向の一方の側（Ｘ軸負側）で接続されているが、複数のアクティブエリア部２０の一部は、長尺方向の他方の側（Ｘ軸正側）で接続されていてもよい。つまり、２本の櫛が入れ子に配置されるように、複数のアクティブエリア部２０及び複数の接続部３０が設けられていてもよい。
【００６０】
［受電部］
第１受電部４０及び第２受電部５０はそれぞれ、直流電力を受電する。例えば、第１受電部４０と第２受電部５０との間に直流電源が接続される。
【００６１】
第１受電部４０は、図４に示すように、１以上の接続部３０のうち、第１方向における端の接続部３０に接続されている。また、第１受電部４０は、封止材６０の外側に設けられている。また、第１受電部４０は、第１基板１０上に設けられている。第１受電部４０は、１以上の接続部３０及び複数の第１電極２１と同じ材料で一体に形成されている。
【００６２】
第２受電部５０は、図１に示すように、封止材６０の外側に設けられている。また、第２受電部５０は、第２基板１１上に設けられている。第２受電部５０は、第２電極２２と同じ材料で一体に形成されている。
【００６３】
例えば、第１電極２１、第２電極２２、１以上の接続部３０、第１受電部４０及び第２受電部５０はそれぞれ、ＩＴＯから形成されるが、これに限らない。第１電極２１、第２電極２２、１以上の接続部３０、第１受電部４０及び第２受電部５０の各々が異なる材料から形成されてもよい。
【００６４】
また、１以上の接続部３０、第１受電部４０及び第２受電部５０の各々は、透光性を有していなくてもよい。１以上の接続部３０、第１受電部４０及び第２受電部５０の各々は、遮光性を有してもよく、例えば、銅、アルミニウムなどの金属材料から形成されてもよい。
【００６５】
［封止材］
封止材６０は、複数のアクティブエリア部２０を囲むように第１基板１０と第２基板１１とを接続することで、複数のアクティブエリア部２０を封止する。封止材６０は、複数のアクティブエリア部２０の周に沿って、所定形状に形成される。具体的には、封止材６０は、平面視において、第１基板１０と第２基板１１との重複部分の形状に沿って枠状に形成される。本実施の形態では、第１基板１０と第２基板１１との重複部分の平面視形状が略矩形であるので、封止材６０は、略矩形の枠状に形成される。
【００６６】
封止材６０としては、例えば、エポキシ系樹脂、アクリル系樹脂、又は、シリコーン樹脂などの光硬化性、熱硬化性又は二液硬化性の接着性樹脂を用いることができる。あるいは、封止材６０としては、ポリエチレン、ポリプロピレンなどの酸変性物からなる熱可塑性の接着性樹脂などを用いてもよい。
【００６７】
なお、封止材６０は、複数のアクティブエリア部２０の厚さ（第１基板１０と第２基板１１との距離）を確保するための粒状のスペーサを含んでもよい。粒状のスペーサとしては、例えば、ガラスビーズ、樹脂ビーズ、シリカ粒子などを用いることができる。
【００６８】
［等価回路］
続いて、本実施の形態に係る電荷蓄積型デバイス１の等価回路について、図５を用いて説明する。図５は、本実施の形態に係る電荷蓄積型デバイス１の等価回路を示す電気回路図である。
【００６９】
図５に示すように、複数のアクティブエリア部２０の各々は、１以上の接続部３０を介して接続されている。
【００７０】
本実施の形態では、１以上の接続部３０は、互いに略同じ形状及び略同じ大きさであるので、１以上の接続部３０の各々の等価回路を抵抗値Ｒ１で表すことができる。抵抗値Ｒ１は、軸部３１の抵抗値及び枝部３２の抵抗値の和に相当する。なお、例えば軸部３１の幅（Ｗ１）が枝部３２の幅（Ｗ２）より充分に小さい場合など、抵抗値Ｒ１は、軸部３１の抵抗値に相当する。
【００７１】
複数のアクティブエリア部２０は、互いに略同じ形状及び略同じ大きさであるので、複数のアクティブエリア部２０の各々の等価回路を抵抗値Ｒ２と容量Ｃ２との直列接続で表すことができる。容量Ｃ２は、第１電極２１と第２電極２２との間に形成される容量に相当する。抵抗値Ｒ２は、第１電極２１の抵抗値及び第２電極２２の抵抗値の和に相当する。
【００７２】
本実施の形態では、接続部３０の抵抗値Ｒ１は、アクティブエリア部２０の抵抗値Ｒ２より大きい。例えば、抵抗値Ｒ１は、抵抗値Ｒ２の１００倍以上である。つまり、以下の（式１）で表すことができる。
【００７３】
【数１】
2016138987.tif 000003
【００７４】
ここで、Ｌ１及びＷ１はそれぞれ、図４に示すように、軸部３１の長さ及び幅である。また、Ｌ３及びＷ３はそれぞれ、アクティブエリア部２０（第１電極２１）の長さ及び幅である。
【００７５】
また、ρ１は、軸部３１の抵抗率であり、ρ２は、第１電極２１（及び第２電極２２）の抵抗率である。本実施の形態では、軸部３１と第１電極２１（及び第２電極２２）とは同じ材料、かつ、同じ厚さで形成されるので、ρ１とρ２とは等しくなる。したがって、（式１）は、以下の（式２）に変形することができる。
【００７６】
【数２】
2016138987.tif 000004
【００７７】
ここで、全体の大きさが６０ｃｍ×７５ｃｍのデバイスを想定する。具体的には、アクティブエリア部２０の長さＬ３が７５ｃｍであり、隣り合うアクティブエリア部２０の間の距離が３０μｍの場合を想定する。
【００７８】
仮に、接続部３０が枝部３２を備えない場合、すなわち、隣り合う第１電極２１を軸部３１が直接接続する場合、軸部３１の長さＬ１は、隣り合う第１電極２１の間の距離、すなわち、３０μｍに相当する。このとき、第１電極２１の幅Ｗ３を１００ｍｍとしたとき、軸部３１の幅Ｗ１は、０．０３／７５０×１００÷１００＝０．０００４ｍｍ（４０ｎｍ）となる。
【００７９】
このように、接続部３０が枝部３２を備えない場合は、軸部３１の幅Ｗ１が４０ｎｍしかなく、導電膜の加工により軸部３１を形成するのが難しい。
【００８０】
これに対して、本実施の形態のように、接続部３０が枝部３２を備える場合、すなわち、接続部３０及び第１電極２１との接続部分がくびれている場合、軸部３１の長さＬ１を例えば５０ｍｍにすることができる。したがって、軸部３１の幅Ｗ１は、５０／７５０×１００÷１００＝０．６７ｍｍとなる。
【００８１】
これにより、導電膜の加工が容易になり、例えば、レーザ加工などによって容易に軸部３１を形成することができる。
【００８２】
図６は、本実施の形態に係る電荷蓄積型デバイス１の接続部３０の形成方法を示す図である。
【００８３】
本実施の形態では、接続部３０は、レーザ加工によって形成される。すなわち、軸部３１及び枝部３２は、レーザ加工によって形成される。
【００８４】
例えば、図６の（ａ）に示すように、第１基板１０上には、複数の第１電極２１が互いに分離された導電膜が形成されている。第１電極２１の分離は、例えば、導電膜を成膜した後、エッチングなどによるパターニングによって行うことができる。
【００８５】
照射領域７１にレーザ光を照射することで、照射領域７１の導電膜を除去することで、図６の（ｂ）に示すように、導電膜が除去された除去領域７０が形成される。これにより、軸部３１及び枝部３２が形成される。なお、照射するレーザ光の波長及びエネルギーなどは、導電膜の材質及び厚さなどに応じて適宜好ましい値に設定される。
【００８６】
なお、照射領域７１は、封止材６０の外側である。したがって、レーザ加工は、例えば、封止材６０によって第１基板１０と第２基板１１とを接続した後に、追加工として行うことができる。これにより、接続部３０に要求される抵抗値に応じて、除去領域７０の形状を容易に異ならせることができる。したがって、例えば、在庫管理などに有利である。
【００８７】
なお、レーザ加工によって形成された接続部３０には、レーザ加工痕が残るので、エッチング加工とは判別することができる。
【００８８】
［動作］
続いて、本実施の形態に係る電荷蓄積型デバイス１の動作について、図７〜図１０を用いて説明する。
【００８９】
本実施の形態に係る電荷蓄積型デバイス１では、ＲＣ回路の過渡現象を利用して、時定数の短いアクティブエリア部２０から順に光学特性を変化させることができる。例えば、第１受電部４０と第２受電部５０との間に直流電圧を印加するだけで、電荷蓄積型デバイス１を領域毎に応答タイミングを異ならせることができる。
【００９０】
＜光透過状態→調光状態＞
まず、本実施の形態に係る電荷蓄積型デバイス１を光透過状態から調光状態にするときの動作について、図７及び図８を用いて説明する。図７及び図８はそれぞれ、本実施の形態に係る電荷蓄積型デバイス１を調光状態にするときの動作を示す図である。なお、図７において、網掛けがされたアクティブエリア部２０は、調光状態（具体的には、着色状態）であり、網掛けがされていないアクティブエリア部２０は、光透過状態（具体的には、透明状態）であることを意味する。
【００９１】
図７及び図８に示すように、第１受電部４０と第２受電部５０との間に直流電源９０を接続することで、電荷蓄積型デバイス１の複数のアクティブエリア部２０は、所定の順序で透明状態から着色状態に変化する。具体的には、複数のアクティブエリア部２０は、第１電極２１及び第２電極２２間に電荷が蓄積されていない場合に、透明状態になり、第１電極２１及び第２電極２２間に電荷が蓄積された場合に、着色状態になる。
【００９２】
所定の順序は、第１電極２１及び第２電極２２間に電荷が蓄積される順序であり、本実施の形態では、１以上の接続部３０に沿った電流経路上での第１受電部４０からの距離が近い順序である。本実施の形態では、図４に示すように、第１受電部４０は、１以上の接続部３０のＹ軸負方向の先端に接続されている。したがって、図７の（ａ）〜（ｃ）に示すように、複数のアクティブエリア部２０は、Ｙ軸正方向に透明状態から着色状態に変化する。
【００９３】
図８の（ａ）に示すように、第１受電部４０と第２受電部５０との間に直流電源９０が接続された場合、複数のアクティブエリア部２０の各々に所定の直流電圧が印加される。このとき、抵抗値Ｒ１が抵抗値Ｒ２より充分に大きいので、第１受電部４０に最も近いアクティブエリア部２０ａに電流が流れやすく（図８の（ａ）の太実線の矢印）、他のアクティブエリア部２０ｂなどには電流がほとんど流れない（同図の細破線の矢印）。
【００９４】
その結果、アクティブエリア部２０ａの容量（すなわち、第１電極２１及び第２電極２２間）に電荷が蓄積され、他のアクティブエリア部２０ｂなどの容量には電荷はほとんど蓄積されない。したがって、図７の（ａ）に示すように、アクティブエリア部２０ａのみが着色状態となり、他のアクティブエリア部２０ｂなどは、透明のままである。
【００９５】
次に、図８の（ｂ）に示すように、アクティブエリア部２０ａの容量に電荷が充分に蓄積されると、電流は、次のアクティブエリア部２０ｂの容量に流れ始める。これにより、アクティブエリア部２０ｂが着色状態に変化する。
【００９６】
以降、第１受電部４０に近い順序で、アクティブエリア部２０の容量に電荷が蓄積されていく。これにより、図７の（ｂ）及び（ｃ）に示すように、第１受電部４０に近い順序で、複数のアクティブエリア部２０は、透明状態から着色状態に変化する。
【００９７】
以上のように、第１受電部４０と第２受電部５０との間に直流電圧を印加するだけで、第１受電部４０に近い順序で、複数のアクティブエリア部２０を透明状態から着色状態に変化させることができる。
【００９８】
なお、複数のアクティブエリア部２０の全てが着色状態になる前に、直流電圧の印加を停止した場合、充電済みのアクティブエリア部２０から充電されていないアクティブエリア部２０に電荷が流れる。したがって、複数のアクティブエリア部２０の各容量には、略均一の電荷が蓄積される。この場合、複数のアクティブエリア部２０の各々は、蓄積された電荷に応じた光学特性を有する。
【００９９】
＜調光状態→光透過状態＞
次に、本実施の形態に係る電荷蓄積型デバイス１を調光状態から光透過状態にするときの動作について、図９及び図１０を用いて説明する。図９及び図１０はそれぞれ、本実施の形態に係る電荷蓄積型デバイス１を光透過状態にするときの動作を示す図である。なお、図１０において、網掛けがされたアクティブエリア部２０は、調光状態（具体的には、着色状態）であり、網掛けがされていないアクティブエリア部２０は、光透過状態（具体的には、透明状態）であることを意味する。
【０１００】
図９及び図１０に示すように、第１受電部４０と第２受電部５０とを短絡することで、電荷蓄積型デバイス１の複数のアクティブエリア部２０は、所定の順序で着色状態から透明状態に変化する。
【０１０１】
所定の順序は、第１電極２１及び第２電極２２間の電荷が放電される順序であり、本実施の形態では、第１受電部４０からの距離が近い順序である。本実施の形態では、図９の（ａ）〜（ｃ）に示すように、複数のアクティブエリア部２０は、Ｙ軸正方向に着色状態から透明状態に変化する。
【０１０２】
図１０の（ａ）に示すように、第１受電部４０と第２受電部５０とが短絡された場合、複数のアクティブエリア部２０の各々に蓄積されていた電荷が放電される。このとき、抵抗値Ｒ１が抵抗値Ｒ２より充分に大きいので、第１受電部４０に最も近いアクティブエリア部２０ａからの電荷が放電されやすく（図１０の（ａ）の太実線の矢印）、他のアクティブエリア部２０ｂなどの電荷はほとんど放電されない（同図の細破線の矢印）。したがって、図９の（ａ）に示すように、アクティブエリア部２０ａのみが透明状態となり、他のアクティブエリア部２０ｂなどは、着色状態のままである。
【０１０３】
次に、図１０の（ｂ）に示すように、アクティブエリア部２０ａの容量の電荷が充分に放電されると、次のアクティブエリア部２０ｂの容量の電荷が放電される。これにより、アクティブエリア部２０ｂが透明状態に変化する。
【０１０４】
以降、第１受電部４０に近い順序で、アクティブエリア部２０の容量の電荷が放電されていく。これにより、図９の（ｂ）及び（ｃ）に示すように、第１受電部４０に近い順序で、複数のアクティブエリア部２０は、着色状態から透明状態に変化する。
【０１０５】
以上のように、第１受電部４０と第２受電部５０とを短絡するだけで、第１受電部４０に近い順序で、複数のアクティブエリア部２０を着色状態から透明状態に変化させることができる。
【０１０６】
なお、複数のアクティブエリア部２０の全てが透明状態になる前に、直流電圧の印加を停止した場合、充電済みのアクティブエリア部２０から充電されていないアクティブエリア部２０に電荷が流れる。したがって、複数のアクティブエリア部２０の各容量には、略均一の電荷が蓄積される。この場合、複数のアクティブエリア部２０の各々は、蓄積された電荷に応じた光学特性を有する。
【０１０７】
［効果など］
以上のように、本実施の形態に係る電荷蓄積型デバイス１は、各々が、透光性を有する第１電極２１及び第２電極２２を有し、第１電極２１及び第２電極２２間に蓄積される電荷に応じて光学特性が変化する複数のアクティブエリア部２０と、各々が、複数のアクティブエリア部２０のうち２つのアクティブエリア部２０を電気的に接続する１以上の接続部３０と、複数のアクティブエリア部２０のうち一のアクティブエリア部２０の抵抗値Ｒ２は、１以上の接続部３０のうち当該一のアクティブエリア部２０に接続される接続部３０の抵抗値Ｒ１より小さい。
【０１０８】
これにより、一のアクティブエリア部２０と別のアクティブエリア部２０との間には、抵抗値がアクティブエリア部２０より大きい接続部３０が設けられているので、一のアクティブエリア部２０の容量（第１電極２１及び第２電極２２間）に電荷が溜まるまでは、他のアクティブエリア部２０にはほとんど電流が流れない。したがって、直流電源を接続するだけで、アクティブエリア部２０毎に、光学特性が変化するタイミング（すなわち、応答タイミング）を異ならせることができる。このように、簡単な駆動回路によって領域毎に応答タイミングを異ならせることができる。
【０１０９】
また、例えば、１以上の接続部３０の各々は、第１方向に長尺の軸部３１と、第１方向に交差する第２方向に沿って軸部３１から延設されて、第１電極２１と軸部３１とを電気的に接続する枝部３２とを備え、１以上の接続部３０の各々の軸部３１は、第１方向に沿って並ぶように互いに接続されている。
【０１１０】
これにより、第１方向に沿って並ぶ軸部３１から枝部３２が延設されているので、複数のアクティブエリア部２０を櫛状に接続することができる。したがって、例えば、第１方向に沿って複数のアクティブエリア部２０の光学特性を順に変化させることができる。つまり、予め定められた一方向に、光学特性を順に変化させることができる。したがって、例えば、電荷蓄積型デバイス１を窓に利用した場合、下から上、又はその逆方向など、自然に（違和感少なく）光学特性を順に変化させることができる。
【０１１１】
また、例えば、複数のアクティブエリア部２０は、第１方向に沿って並んで配置され、複数のアクティブエリア部２０の各々の第１電極２１の平面視形状及び大きさは、第１方向が短手方向になる略矩形である。
【０１１２】
これにより、第１方向に沿って、略矩形の領域の光学特性を順に変化させることができる。したがって、例えば、電荷蓄積型デバイス１を窓に利用した場合、より自然に（より違和感少なく）光学特性を順に変化させることができる。
【０１１３】
また、例えば、枝部３２の第１方向の長さは、その枝部３２が接続される第１電極２１の第１方向の長さより短い。
【０１１４】
これにより、枝部３２の幅（Ｗ２）を第１電極２１の幅（Ｗ３）より短くすることで、一の枝部３２と隣り合う枝部３２との間の間隔、すなわち、軸部３１の長さ（Ｌ１）を長くすることができる。軸部３１の長さを長くすることで、軸部３１の幅（Ｗ１）を必要以上に短くしなくても、軸部３１の抵抗値Ｒ１をアクティブエリア部２０の抵抗値Ｒ２より充分に大きくすることができる。したがって、軸部３１の加工が容易になり、デバイスの信頼性を高めることができる。
【０１１５】
また、例えば、軸部３１の短手方向の長さは、その軸部３１から延設された枝部３２が接続される第１電極２１の短手方向の長さより短い。
【０１１６】
これにより、例えば、軸部３１と第１電極２１とを同じ材料で形成した場合であっても、軸部３１の幅（Ｗ１）が第１電極２１の幅（Ｗ３）より短くすることで、軸部３１の抵抗値を第１電極２１の抵抗値より大きくすることができる。したがって、軸部３１及び第１電極２１を同一工程で形成することができ、製造コストを削減することができる。また、不要なプロセスの増加を抑制することができるので、デバイスの信頼性を高めることもできる。
【０１１７】
また、例えば、電荷蓄積型デバイス１は、さらに、１以上の接続部３０のうち、第１方向における端の接続部３０に接続された、直流電力を受電する第１受電部４０を備える。
【０１１８】
これにより、第１方向の端から順番に複数のアクティブエリア部２０の光学特性を変化させることができる。つまり、予め定められた一方向に、光学特性を順に変化させることができる。
【０１１９】
また、例えば、軸部３１及び枝部３２は、レーザ加工によって形成される。
【０１２０】
これにより、接続部３０に要求される抵抗値に応じて、軸部３１及び枝部３２の形状を容易に異ならせることができる。例えば、接続部３０が封止材６０の外側に設けられている場合は、複数のアクティブエリア部２０を封止した後にレーザ加工を行うことができる。したがって、電荷蓄積型デバイス１の在庫管理などに有利である。
【０１２１】
また、例えば、複数のアクティブエリア部２０の各々の第１電極２１の平面視形状は、互いに略同じである。
【０１２２】
これにより、複数のアクティブエリア部２０の抵抗値を互いに略同じにすることができるので、略均等な間隔で、複数のアクティブエリア部２０の光学特性を変化させることができる。
【０１２３】
また、例えば、電荷蓄積型デバイス１は、さらに、複数のアクティブエリア部２０を間に挟むように対向して設けられた第１基板１０及び第２基板１１と、複数のアクティブエリア部２０を囲むように第１基板１０と第２基板１１とを接続することで、複数のアクティブエリア部２０を封止する封止材６０とを備え、１以上の接続部３０は、封止材６０の外側に設けられている。
【０１２４】
これにより、例えば、複数のアクティブエリア部２０を封止した後にレーザ加工を行うことで、接続部３０を形成することができるので、在庫管理などに有利である。
【０１２５】
また、例えば、複数のアクティブエリア部２０の各々は、第１電極２１と第２電極２２との間に電解質を備えるエレクトロクロミック素子である。
【０１２６】
これにより、第１電極２１及び第２電極２２間に電圧を印加することで、電解質に含まれるイオンを移動させて、調光を行うことができる。
【０１２７】
（変形例１）
以下では、上記の実施の形態に係る電荷蓄積型デバイス１の変形例１について、図１１を用いて説明する。図１１は、本変形例に係る電荷蓄積型デバイスの第１電極２１の一部を示す概略平面図である。
【０１２８】
図１１に示すように、本変形例に係る電荷蓄積型デバイスは、さらに、第１電極２１に積層された補助電極８０を備える。本変形例では、第１電極２１毎に補助電極８０が積層されている。
【０１２９】
本変形例では、補助電極８０は、第１電極２１の長手方向に沿って形成されている。例えば、補助電極８０は、第１電極２１の短手方向の中央を通り、長手方向に延びる直線に沿って形成されている。なお、補助電極８０は、図１１に示すように、接続部３０の枝部３２上にも設けられてもよい。
【０１３０】
補助電極８０は、第１電極２１より抵抗率が小さい材料から構成されている。アクティブエリア部２０が光透過状態である場合を考慮して、補助電極８０は、例えば、光透過性を有することが好ましい。例えば、補助電極８０は、光を透過できる程度に薄膜の銀又は銅などの金属膜、あるいは、透明導電膜などから形成される。
【０１３１】
以上のように、本変形例に係る電荷蓄積型デバイスは、さらに、第１電極２１に積層された補助電極８０を備える。
【０１３２】
これにより、アクティブエリア部２０の抵抗値をより低くすることができる。
【０１３３】
なお、補助電極８０は、第２電極２２に積層されていてもよい。
【０１３４】
（変形例２）
続いて、上記の実施の形態に係る電荷蓄積型デバイス１の変形例２について、図１２及び図１３を用いて説明する。図１２は、本変形例に係る電荷蓄積型デバイス２の概略平面図である。図１３は、本変形例に係る電荷蓄積型デバイス２を調光状態にするときの動作を示す図である。
【０１３５】
図１２に示すように、本変形例に係る電荷蓄積型デバイス２は、さらに、第１受電部４１を備える。第１受電部４１は、第１方向における第１受電部４０とは反対側の端の接続部３０に接続されている。
【０１３６】
図１３に示すように、第１受電部４１と第２受電部５０との間には、直流電源９１が接続される。直流電源９１は、第１受電部４０と第２受電部５０との間に接続される直流電源９０と同じ電圧を供給する。つまり、第１受電部４０と第１受電部４１とは、同電位に設定される。
【０１３７】
したがって、直流電源９０及び直流電源９１を接続した場合、図１３の（ａ）に示すように、第１受電部４０に近いアクティブエリア部２０だけでなく、第１受電部４１に近いアクティブエリア部２０も透明状態から着色状態に変化する。すなわち、図１３の（ａ）〜（ｃ）に示すように、電荷蓄積型デバイス１の上側と下側との両側から光学特性を変化させることができる。
【０１３８】
このように、複数の受電部を設けることにより、アクティブエリア部２０の光学特性を変化させる順番を変更することができる。
【０１３９】
なお、第１受電部４０と第１受電部４１とを用途によって使い分けてもよい。例えば、電荷蓄積型デバイス２を透明状態から着色状態に変化させるときに第１受電部４０を用いて、電荷蓄積型デバイス２を着色状態から透明状態に変化させるときに第１受電部４１を用いてもよい。
【０１４０】
具体的には、透明状態から着色状態に変化させるときには、第１受電部４０と第２受電部５０との間には直流電源９０を接続することで、図７に示したように、Ｙ軸正方向に光学特性を変化させることができる。このとき、第１受電部４１と第２受電部５０との間は、開放されている。
【０１４１】
また、着色状態から透明状態に変化させるときには、第１受電部４１と第２受電部５０との間を短絡することで、Ｙ軸負方向に光学特性を変化させることができる。具体的には、電荷蓄積型デバイス２は、図７の（ｃ）→（ｂ）→（ａ）の順で光学特性が変化する。なお、このとき、第１受電部４０と第２受電部５０との間は、開放されている。
【０１４２】
また、本変形例に係る電荷蓄積型デバイス２は、３個以上の第１受電部を備えてもよい。例えば、電荷蓄積型デバイス２は、２Ｍ個又は２Ｍ＋１個のアクティブエリア部２０を備える場合、Ｍ個の第１受電部を備えてもよい。なお、Ｍは、自然数である。Ｍ個の第１受電部は、例えば、第１方向において均等に配置されてもよい。
【０１４３】
（その他）
以上、本発明に係る電荷蓄積型デバイスについて、上記実施の形態及びその変形例に基づいて説明したが、本発明は、上記の実施の形態に限定されるものではない。
【０１４４】
例えば、上記の実施の形態では、複数のアクティブエリア部２０が平面視において重複しないように配置されているが、これに限らない。複数のアクティブエリア部２０は、第１基板１０と第２基板１１との間に積層されてもよい。例えば、複数のアクティブエリア部２０の各々が光の透過率を変更することができる場合に、電荷蓄積型デバイス１の透過率を段階的に変更することができる。
【０１４５】
また、例えば、上記の実施の形態では、複数のアクティブエリア部２０が第１方向に並んで配置されている例について示したが、これに限らない。例えば、複数のアクティブエリア部２０は、環状に並んで配置されてもよい。言い換えると、複数のアクティブエリア部２０が並ぶ方向である第１方向が、円周方向でもよい。例えば、複数のアクティブエリア部２０が二次元状に配置されており、任意の順で複数の接続部によって接続されていてもよい。
【０１４６】
また、例えば、上記の実施の形態では、複数のアクティブエリア部２０の平面視形状が略矩形である場合について説明したが、これに限らない。例えば、複数のアクティブエリア部２０の平面視形状は、正方形、台形などその他多角形、円形、楕円形若しくは扇型などいかなるものでもよい。例えば、扇型のアクティブエリア部２０を環状に並んで配置することで、全体として円形の電荷蓄積型デバイスを形成することができる。
【０１４７】
また、例えば、上記の実施の形態では、複数のアクティブエリア部２０の平面視形状及び大きさが略同じである例について説明したが、これに限らない。例えば、複数のアクティブエリア部２０（具体的には、第１電極２１）の大きさを異ならせることで、複数のアクティブエリア部２０の抵抗値を異ならせることができる。これにより、複数のアクティブエリア部２０の光学特性が変化するタイミングを異ならせることができる。
【０１４８】
例えば、第１受電部４０から遠い程、アクティブエリア部２０が小さくてもよい。これにより、アクティブエリア部２０の抵抗値は、第１受電部４０から遠い程、大きくなる。したがって、第１受電部４０から遠いアクティブエリア部２０程、光学特性が変化するのが遅くすることができる。
【０１４９】
また、例えば、１以上の接続部３０の平面視形状及び大きさを互いに異ならせてもよい。
【０１５０】
つまり、上記実施の形態では、全ての接続部３０の抵抗値Ｒ１が略同じで、全てのアクティブエリア部２０の抵抗値Ｒ２が略同じである場合について説明したが、これに限らない。複数の接続部３０の抵抗値Ｒ１は互いに異なっていてもよく、複数のアクティブエリア部２０の抵抗値Ｒ２も互いに異なっていてもよい。
【０１５１】
また、例えば、１以上の接続部３０は、枝部３２を備えずに、軸部３１が２つのアクティブエリア部２０を直接接続してもよい。１以上の接続部３０の形状、大きさ及び配置は、上述した例には限らずに、複数のアクティブエリア部２０のうち２つを接続していればよい。
【０１５２】
また、例えば、上記の実施の形態では、複数の第２電極２２の各々は、一体に形成された導電膜の一部である例について示したが、これに限らない。複数の第２電極２２は、複数の第１電極２１と同じ形状を有してもよい。この場合、例えば、第２受電部５０だけでなく、複数の第２電極２２の各々を接続する１以上の接続部が第２基板１１に設けられる。
【０１５３】
また、例えば、上記の実施の形態では、１以上の接続部３０が封止材６０の外側に設けられている例について示したが、これに限らない。例えば、１以上の接続部３０は、封止材６０の内側に設けられていてもよい。
【０１５４】
また、例えば、上記の実施の形態では、アクティブエリア部２０の機能層２３がエレクトロクロミック層、電解質層及び対向電極層の積層構造を有する例について示したが、これに限らない。機能層２３は、例えば、金属イオンを含むゲルなどでもよい。具体的には、機能層２３は、金属イオンを含む電解質が溶解した高分子材料などから形成されてもよい。
【０１５５】
金属イオンとしては、例えば、銀イオン又は銅イオンなどを用いることができる。金属イオンを含む電解質としては、例えば、硝酸銀、酢酸銀又は塩化銅などを用いることができる。高分子材料としては、例えば、ポリビニルアルコール、ポリブチルアルコールなどを用いることができる。なお、電解質を溶解させるために、ジメチルスルホキシド（ＤＭＳＯ）などの溶剤を用いることができる。
【０１５６】
これにより、金属元素がイオンとして機能層２３中に存在している場合に、機能層２３は、光透過性を有する。すなわち、アクティブエリア部２０が光透過状態になる。また、金属元素が金属膜として第１電極２１又は第２電極２２に析出した場合に、機能層２３は、入射光の調光を行う。すなわち、アクティブエリア部２０が調光状態になる。本実施の形態では、例えば、析出した金属膜が波長変換性を有する。これにより、金属膜に入射した光は、色が変換されて透過又は散乱される。
【０１５７】
また、例えば、上記の実施の形態では、複数のアクティブエリア部２０がエレクトロクロミック素子である場合について説明したが、これに限らない。例えば、複数のアクティブエリア部２０は、電気泳動素子でもよい。
【０１５８】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１５９】
１、２  電荷蓄積型デバイス
１０  第１基板
１１  第２基板
２０、２０ａ、２０ｂ  アクティブエリア部
２１  第１電極
２２  第２電極
２３  機能層
３０  接続部
３１  軸部
３２  枝部
４０、４１  第１受電部
５０  第２受電部
６０  封止材
８０  補助電極
【図１】
2016138987.tif 000005
【図２】
2016138987.tif 000006
【図３】
2016138987.tif 000007
【図４】
2016138987.tif 000008
【図５】
2016138987.tif 000009
【図６】
2016138987.tif 000010
【図７】
2016138987.tif 000011
【図８】
2016138987.tif 000012
【図９】
2016138987.tif 000013
【図１０】
2016138987.tif 000014
【図１１】
2016138987.tif 000015
【図１２】
2016138987.tif 000016
【図１３】
2016138987.tif 000017